(57)【特許請求の範囲】
【請求項１】
常用電源から給電されて点灯する常用光源ユニットと、前記常用電源の停電時に非常用電源から給電されて点灯する非常用光源ユニットと、前記常用光源ユニットと前記非常用光源ユニットを隣り合って並ぶように支持する器具本体とを備え、
前記非常用光源ユニットは、光源と、前記光源から放射される光の配光を制御する光学部品と、前記光源及び前記光学部品を収容する筐体とを有し、
前記筐体は、前記光学部品の少なくとも一部を表面から突出させるように構成され、
前記光学部品は、前記筐体の中心に対して前記常用光源ユニットから離れる方向にずらして前記筐体に収容されることを特徴とする照明器具。
【請求項２】
前記非常用光源ユニットは、自らの動作状態を表示する表示部と、点検動作を開始させるために操作される操作部とを有し、
前記筐体は、前記光学部品よりも前記常用光源ユニットに近い位置に、前記表示部と前記操作部を配置するように構成されることを特徴とする請求項１記載の照明器具。
【発明の詳細な説明】
【技術分野】
【０００１】
本発明は、照明器具に関し、特に、常用照明と非常用照明に兼用可能な照明器具に関する。
【背景技術】
【０００２】
従来例として、特許文献１記載の照明器具を例示する。特許文献１記載の従来例は、照明ユニット部と、非常灯ユニット部と、ソエ板を有する補強板部材とを備える。特許文献１記載の従来例は、補強板部材のソエ板により、照明ユニット部と非常灯ユニット部とを一体に結合して天井施工面に直接取り付けられる。
【０００３】
照明ユニット部は、器具本体と、２本の直管型の蛍光ランプ（ランプ）と、安定器と、反射板とを備える。照明ユニット部は、商用電源から安定器を介して給電される電力で２本のランプを点灯させることにより、常用照明を行うように構成される。
【０００４】
非常灯ユニット部は、非常灯ボックスと、非常用点灯ブロックと、蓄電池と、点検スイッチと、非常灯ボックスカバーとを備える。蓄電池は、商用電源から供給される電力で充電される。非常用点灯ブロックは、商用電源の停電時に、蓄電池から給電される電力でランプを点灯させることにより、非常用照明を行うように構成される。
【先行技術文献】
【特許文献】
【０００５】
【特許文献１】特開２０１１−１１３６５８号公報
【発明の概要】
【発明が解決しようとする課題】
【０００６】
ところで、特許文献１記載の従来例は、２本の蛍光ランプを常用照明と非常用照明に兼用しており、非常用照明の際に規定の照度及び点灯時間を確保するために、蓄電池の容量を大きくしなければならない。しかしながら、蓄電池の容量を大きくすれば、蓄電池の専有スペースも増大するので、非常灯ユニット部が大型化してしまう。
【０００７】
そこで、常用照明と非常用照明に兼用可能な照明器具において、蛍光ランプよりも消費電力の少ない光源（蛍光ランプよりも小形の光源）を非常用照明の光源として用いることが考えられる。この場合、常用照明と非常用照明とで同程度の照明範囲を確保するために、非常用照明の光源から放射される光の配光を、レンズなどの光学部品を用いて制御する必要がある。
【０００８】
しかしながら、器具本体の小型化を図るために、常用照明の光源（例えば、蛍光ランプ）と非常用照明の光源とが近付けて配置されると、常用照明の光源の光路が、非常用照明の光源に遮られて照射範囲が狭くなってしまう虞がある。
【０００９】
本発明は、上記課題に鑑みてなされたものであり、常用照明の照射範囲を狭められ難くすることを目的とする。
【課題を解決するための手段】
【００１０】
本発明の照明器具は、常用電源から給電されて点灯する常用光源ユニットと、前記常用電源の停電時に非常用電源から給電されて点灯する非常用光電ユニットと、前記常用光源ユニットと前記非常用光源ユニットを隣り合って並ぶように支持する器具本体とを備え、前記非常用光源ユニットは、光源と、前記光源から放射される光の配光を制御する光学部品と、前記光源及び前記光学部品を収容する筐体とを有し、前記筐体は、前記光学部品の少なくとも一部を表面から突出させるように構成され、前記光学部品は、前記筐体の中心に対して前記常用光源ユニットから離れる方向にずらして前記筐体に収容されることを特徴とする。
【発明の効果】
【００１１】
本発明の照明器具は、常用照明の照射範囲を狭められ難くすることができるという効果がある。
【図面の簡単な説明】
【００１２】
【図１】本発明に係る照明器具の実施形態を示す斜視図である。
【図２】同上を示し、図２Ａは正面図、図２Ｂは上面図、図２Ｃは左側面図である。
【図３】同上の分解斜視図である。
【図４】同上の断面図である。
【図５】同上における非常用光源ユニットの分解斜視図である。
【図６】同上における非常用光源ユニットの断面図である。
【図７】同上における非常用光源ユニットの断面図である。
【発明を実施するための形態】
【００１３】
以下、本発明に係る照明器具の実施形態について、図面を参照して詳細に説明する。なお、以下の説明では、特に断りのない限り、図４に示す向きにおいて上下左右の方向を規定し、さらに図４中の紙面に垂直な方向を前後方向（手前側が前側）と規定する。
【００１４】
本実施形態の照明器具は、図１〜図４に示すように常用光源ユニット２と、非常用光源ユニット３と、器具本体１とで構成される。器具本体１は、吊りボルト２００に固定され、天井材１００の下面（天井面）に直付けされる。常用光源ユニット２は、器具本体１に対して着脱可能に取り付けられる。
【００１５】
器具本体１は、板金に曲げ加工を施すことで長尺且つ上面（天井材１００との対向面）が開口する扁平な箱状に形成される。また、器具本体１は、天井材１００と反対側（下側）に、常用光源ユニット２及び非常用光源ユニット３を収容するための矩形の凹部１１が長手方向（前後方向）の全長に亘って設けられている。また、器具本体１の左右方向（幅方向）における凹部１１の両側には、凹部１１の開口端縁から延出し且つ外側に向かって上方へ傾斜する傾斜部１２がそれぞれ設けられている（図３及び図４参照）。
【００１６】
また、凹部１１の底板１１１には、電線を通すための孔１１１Ａが前後方向（長手方向）におけるほぼ中央に設けられている。さらに、この底板１１１には、前後方向における両端寄りの位置に吊りボルト２００を通すための孔１１１Ｂがそれぞれ設けられている。そして、底板１１１の下面には端子台が取り付けられる。
【００１７】
常用光源ユニット２は、図４に示すように、複数（例えば、２つ）のＬＥＤモジュール２２と、ＬＥＤモジュール２２が取り付けられる取付部材２１とを備える。また、常用光源ユニット２は、ＬＥＤモジュール２２を覆うようにして取付部材２１に取り付けられるカバー２３と、電源装置２４とを備える。
【００１８】
ＬＥＤモジュール２２は、前後方向に長い矩形板状に形成されたプリント配線板２２１を有する。プリント配線板２２１は、その下面に複数のＬＥＤ（発光ダイオード）２２２が前後方向（長手方向）に沿って実装されている。また、一方のＬＥＤモジュール２２の前端部には、電源装置２４との間を電気的に接続するためのコネクタが実装されている。このコネクタには電線が電気的に接続されており、この電線の端部を電源装置２４に電気的に接続することでＬＥＤモジュール２２と電源装置２４とが電気的に接続される。
【００１９】
また、各ＬＥＤモジュール２２において隣接するＬＥＤモジュール２２と対向する端部には、電源供給用のコネクタがそれぞれ実装されている。そして、両ＬＥＤモジュール２２のコネクタ同士を接続することで、一方のＬＥＤモジュール２２から他方のＬＥＤモジュール２２に点灯電力が中継される。
【００２０】
取付部材２１は、板金に曲げ加工を施すことでＵ字状に形成され、長尺且つ矩形板状に形成された底板２１１と、底板２１１の左右方向（幅方向）における両端から上下方向（底板２１１と直交する方向）に延出する一対の側板２１２とで構成される。各側板２１２の先端（上端）には、図４に示すように、互いに離れる向き（外向き）に湾曲する引掛部２１２Ａがそれぞれ全長に亘って設けられている。
【００２１】
底板２１１の前端部には、ＬＥＤモジュール２２と電源装置２４とを電気的に接続する電線を通すための孔が設けられている。また、底板２１１の前後方向における中央部には、底板２１１の一部を上向きに突出させることで形成された矩形の凹部が設けられている。この凹部は、両ＬＥＤモジュール２２を取付部材２１に取り付けた状態で、中継用のコネクタと取付部材２１の底板２１１との間の絶縁距離を確保するためのものである。なお、上述したＬＥＤモジュール２２は、例えば取付部材２１の底板２１１の一部を切り起こすことで形成された爪により取付部材２１に固定される。
【００２２】
また、取付部材２１は、長手方向における両端寄りの位置において幅方向の一端側に延びる一対の引掛金具と、幅方向の他端側に配置される一対の引掛ばねとを有している。
【００２３】
電源装置２４は、電源基板と、電源基板を収納する収納ケース２４２とを有する。電源基板は、前後方向に長い矩形板状に形成されたプリント配線板からなり、このプリント配線板には、少なくともＬＥＤ２２２の点灯電力を生成するために必要な回路部品（例えばトランスやダイオード、コンデンサなど）２４１が実装されている。
【００２４】
収納ケース２４２は、一面（取付部材２１の底板２１１との対向面）が開口し且つ前後方向に長い矩形箱状に形成されている。また、収納ケース２４２は、開口側が取付部材２１の底板２１１と対向するようにして、例えばねじなどを用いて取付部材２１の側板２１２に取り付けられる。
【００２５】
カバー２３は、拡散性を有する材料（例えば乳白色のアクリル樹脂）により上面（取付部材２１側の面）が開口する長尺の箱形に形成されている。また、カバー２３は、左右方向（幅方向）において両端側から中央側に行くほど下側への突出量が大きくなるような凸レンズ形状の曲面部２３１を有している（図４参照）。
【００２６】
カバー２３の左右方向における両端部には、図４に示すように、常用光源ユニット２を器具本体１に取り付けた状態で、上下方向において器具本体１の凹部１１の開口端縁と重なる延出部２３２がそれぞれ設けられている。さらに、カバー２３の左右方向において各延出部２３２の内側には、上側（取付部材２１側）に突出する突壁部２３３がそれぞれ全長に亘って設けられており、各突壁部２３３の先端には内向きに突出する突起部２３３Ａがそれぞれ設けられている。また、各突壁部２３３の根元近くには、それぞれ内向きに突出する支持片２３３Ｂが設けられている。
【００２７】
非常用光源ユニット３は、図５〜図７に示すように、非常用ＬＥＤモジュール３０、光学部品であるレンズ３１、筐体３２、蓄電池３８などを備える。非常用光源ユニット３は、さらに、支持体３３、スイッチブロック３４、表示部３５、放熱部材３６、電池ケース３７などを備えることが好ましい。なお、以下の非常用光源ユニット３の説明においては、特に断りのない限り、図５において、上下、前後、左右の各方向を規定する。
【００２８】
非常用ＬＥＤモジュール３０は、実装基板３００、発光部３０１、絶縁シート３０２などを備えることが好ましい。実装基板３００は、幅細の矩形平板状に形成されたプリント配線板である。発光部３０１は、実装基板３００の上面における中央部に実装される複数個のＬＥＤチップと、これら複数個のＬＥＤチップを封止する封止材とで構成されることが好ましい。封止材は、透光性を有し且つ蛍光材料が混合された合成樹脂であることが好ましい。すなわち、ＬＥＤチップから放射される光（例えば、青色光）の一部が蛍光材料で波長変換され、波長変換された光（例えば、黄色光）と波長変換されなかった光（青色光）が混ざることにより、発光部３０１から放射される光が全体として白色光となる。絶縁シート３０２は、電気絶縁性を有し且つ熱伝導度が相対的に高い材料で矩形平板状に形成され、片面に実装基板３００が貼り付けられる。
【００２９】
レンズ３１は、透光性を有し、且つガラス繊維が混入されることで耐熱性（難燃性）が向上された合成樹脂材料（例えば、ポリカーボネート樹脂など）で形成されることが好ましい。レンズ３１は、非球面形状の入射面３１０及び出射面３１１を有し、いわゆるバットウイング状の配光特性を実現する広角配光レンズであることが好ましい。また、レンズ３１は、下側及び左右両側の周縁から外向きに突出する一対のフランジ３１２を有することが好ましい。
【００３０】
蓄電池３８は、例えば、円筒形状のニッケル水素電池が好ましい。電池ケース３７は、合成樹脂材料などの電気絶縁性を有する材料により、複数の蓄電池３８を内部に収納可能なように構成される（図６及び図７参照）。なお、電池ケース３７からは、各蓄電池３８の正極及び負極と電気的に接続された電源線が引き出される。
【００３１】
筐体３２は、カバー体３２０と、第１カバーエンド３２１と、第２カバーエンド３２２と、ベース３２５とを有する。カバー体３２０は、難燃性の材料（例えば、亜鉛鋼板などの金属板）により、曲面部３２３及び一対の突片３２４が一体に構成されることが好ましい。曲面部３２３は、常用光源ユニット２のカバー２３の曲面部２３１とほぼ同一の曲面形状を有することが好ましい。一対の突片３２４は、矩形の平板状であって、曲面部３２３の下面側における前後両端より下向きに突出するように形成されることが好ましい。
【００３２】
また、曲面部３２３には、レンズ３１が挿通される挿通孔３２３０が開口している。この挿通孔３２３０は、上下方向から見て八角形状に形成されることが好ましい。さらに、曲面部３２３の表面（上面）における挿通孔３２３０の左右両側には、挿通孔３２３０に向かって下向きに傾斜する傾斜面３２３１が形成されることが好ましい。ただし、挿通孔３２３０は、曲面部３２３の左右方向における中心から左方向（常用光源ユニット２から離れる方向）にずらして設けられる。
【００３３】
第１カバーエンド３２１及び第２カバーエンド３２２は、カバー体３２０と同一の材料により、半円板状に形成されることが好ましい。また、第１カバーエンド３２１及び第２カバーエンド３２２は、前後方向の両端から突出する一対の接合片３２１０、３２２０を有し、これら一対の接合片３２１０、３２２０が曲面部３２３の下面に溶接されることでカバー体３２０に接合されることが好ましい。ただし、第１カバーエンド３２１がカバー体３２０の左側に接合され、第２カバーエンド３２２がカバー体３２０の右側に接合される。また、第２カバーエンド３２２の下端には、右方向に突出する角樋状の突台部３２２１が設けられることが好ましい。
【００３４】
ベース３２５は、矩形平板状の底板３２５０と、底板３２５０の前後両側の端縁から上向きに立ち上がる一対の側板３２５１とを有し、カバー体３２０と同一の板材が加工されることで角樋状に形成されることが好ましい。なお、ベース３２５の内部（底板３２５０と一対の側板３２５１に囲まれた空間。以下、同じ。）に電池ケース３７が収容される（図６及び図７参照）。
【００３５】
底板３２５０は、左端における前後方向の中央部分に切り起こし片３２５２が形成されることが好ましい。この切り起こし片３２５２の先端部分は、電池ケース３７の表面に沿うように、半円筒形状に形成されることが好ましい。また、一対の側板３２５１は、押圧部３２５３と、抜け止め片３２５４とを備えることが好ましい。押圧部３２５３は、切り起こし加工によってブリッジ状に形成され、ベース３２５の内部に収容される電池ケース３７を前後方向から支持するように構成されることが好ましい（図７参照）。抜け止め片３２５４は、側板３２５１の上端から底板３２５０とほぼ並行して突出するように設けられることが好ましい。すなわち、ベース３２５の内部に収容される電池ケース３７は、一対の抜け止め片３２５４により、上方向への移動が規制されて抜け止めされる（図６及び図７参照）。
【００３６】
さらに、各側板３２５１には、スライド溝３２５５及び引掛溝３２５６がそれぞれ設けられることが好ましい。スライド溝３２５５は、側板３２５１の上端部分において、左端から中央に向かって長孔状に形成されることが好ましい。ただし、スライド溝３２５５は、左端から中央に向かって上向きに傾斜するように形成されることが好ましい。また、引掛溝３２５６は、側板３２５１の右端において、底板３２５０とほぼ平行な切り込み状に形成されることが好ましい（図５参照）。
【００３７】
表示部３５は、市販のパイロットランプで構成されることが好ましい。スイッチブロック３４は、プリント配線板３４０、点検スイッチ３４１、操作部材３４２、コネクタ３４３などで構成されることが好ましい。コネクタ３４３は、プラグコネクタが挿抜可能に接続されるレセプタクルコネクタが好ましい。点検スイッチ３４１は、市販されている常開型の押釦スイッチが好ましい。操作部材３４２は、下端側に外鍔を有する円柱形状に形成されることが好ましい。操作部材３４２は、上下方向に移動可能なように支持体３３に支持される。プリント配線板３４０は、矩形平板状に形成され、点検スイッチ３４１とコネクタ３４３が上面に実装され、且つコネクタ３４３の２つのコンタクトと点検スイッチ３４１の一対の端子とを各別に電気的に接続するように構成されることが好ましい。
【００３８】
スイッチブロック３４は、コネクタ３４３に接続されるプラグコネクタを介して非常用点灯装置４から定電圧が供給されており、操作部材３４２を介して点検スイッチ３４１が押操作されると、コネクタ３４３のコンタクト同士を導通するように構成されている。故に、非常用点灯装置４は、プラグコネクタの２つのコンタクト間が短絡することにより、点検スイッチ３４１の操作入力を受け取ることができる。
【００３９】
放熱部材３６は、アルミ板などの熱伝導性の高い材料により、主部３６０と、第１壁部３６１と、第２壁部３６２と、固定部３６３とが一体に形成されることが好ましい。主部３６０は、矩形の平板状に形成されることが好ましい。主部３６０は、上面の中央に載置される非常用ＬＥＤモジュール３０と熱的に接続されることが好ましい。ただし、主部３６０の左前の角部には、通線用の切欠３６００が形成されることが好ましい。第１壁部３６１は、矩形の平板状に形成され、且つ主部３６０の左端から下向きに垂れ下がるように構成されることが好ましい。第２壁部３６２は、矩形の平板状に形成され、且つ主部３６０の右端から下向きに垂れ下がるように構成されることが好ましい。ただし、第２壁部３６２は、下端部分が外向き（右向き）に曲げ加工されることが好ましい。固定部３６３は、矩形の平板状に形成され、且つ第２壁部３６２の下端から外向き（右向き）に突出するように構成されることが好ましい。放熱部材３６は、第１壁部３６１が第１カバーエンド３２１にねじ止めされ、且つ固定部３６３が第２カバーエンド３２２の突台部３２２１にねじ止めされることが好ましい（図６参照）。
【００４０】
支持体３３は、第１支持部３３０と、第２支持部３３１とを有することが好ましい。ただし、第１支持部３３０と第２支持部３３１とは、合成樹脂成形体として一体に形成されることが好ましい。
【００４１】
第１支持部３３０は、全体として薄型の平板状に形成され、非常用ＬＥＤモジュール３０を嵌め込んで支持する凹部３３２、複数条のリブ３３３、一対の引掛部３３４、一対のボス３３５などを有することが好ましい。凹部３３２は、図６及び図７に示すように、第１支持部３３０の下面中央に設けられることが好ましい。また、凹部３３２の底には、矩形の窓孔３３２０が開口されることが好ましい。つまり、この窓孔３３２０内に発光部３０１が配置されることにより、第１支持部３３０の上面側に発光部３０１が露出する（図７参照）。複数条のリブ３３３は、第１支持部３３０の上面に、窓孔３３２０を避けるように設けられることが好ましい。一方の引掛部３３４は、第１支持部３３０の上面における左後方から上向きに突出し、且つ左右方向に撓み可能に形成されることが好ましい。他方の引掛部３３４は、第１支持部３３０の上面における右前方から上向きに突出し、且つ左右方向に撓み可能に形成されることが好ましい。また、各引掛部３３４は、上端部分に三角柱状の爪３３４０が一体に形成されることが好ましい。
【００４２】
第２支持部３３１は、下面が開放された矩形の箱状に形成されることが好ましい。また、第２支持部３３１の内部は、表示部３５が収納される空間と、スイッチブロック３４が収納される空間とに仕切られることが好ましい。第２支持部３３１の底板には、第１挿通孔３３１０と第２挿通孔３３１１と第３挿通孔３３１２が設けられることが好ましい。第１挿通孔３３１０と第２挿通孔３３１１は、何れも円形状に形成されることが好ましい。
【００４３】
また、第２支持部３３１の底板における第１挿通孔３３１０及び第２挿通孔３３１１の周囲には、第１周壁３３１３及び第２周壁３３１４が一体に設けられることが好ましい。第１周壁３３１３は、円筒形状に形成され、スイッチブロック３４の操作部材３４２が挿通される。操作部材３４２は、円柱形状の押釦部３４２０と、押釦部３４２０の下端における周面から全周に渡って突出する外鍔部３４２１とを有する合成樹脂成形体で構成される。操作部材３４２は、押釦部３４２０を第１挿通孔３３１０に下から挿通し、底板の下面における第１挿通孔３３１０の周囲に外鍔部３４２１を当てるようにして、第２支持部３３１と支持される（図６参照）。なお、第２周壁３３１４も円筒形状に形成され、表示部３５の先端部分が挿通される。
【００４４】
次に、非常用光源ユニット３の組立手順を説明する。まず、作業者は、非常用ＬＥＤモジュール３０を第１支持部３３０の凹部３３２に下から嵌め込む。さらに、作業者は、操作部材３４２を第１挿通孔３３１０に下から挿通した後、スイッチブロック３４のプリント配線板３４０を第２支持部３３１の内周面に設けられた突部３３１５に引っ掛けて操作部材３４２及びスイッチブロック３４を取り付ける（図６参照）。また、作業者は、表示部３５の外周面に突出する爪３５０（図５参照）を、第２周壁３３１４に設けられた孔に引っ掛けることで表示部３５を第２支持部３３１に取り付ける。
【００４５】
続いて、作業者は、第１支持部３３０を放熱部材３６の主部３６０の上に載せ、各ボス３３５を貫通する孔３３５０にねじを挿通し、主部３６０に設けられた一対のねじ孔３６０１にそれぞれねじを締め込む。このようにして、作業者は、放熱部材３６と支持体３３を結合する。
【００４６】
次に、作業者は、一対の引掛部３３４の爪３３４０をレンズ３１のフランジ３１２に引っ掛け、リブ３３３と爪３３４０との間でフランジ３１２を挟み込むことでレンズ３１を第１支持部３３０に支持させる（図６参照）。それから、作業者は、第１壁部３６１を第１カバーエンド３２１にねじ止めするとともに、固定部３６３を第２カバーエンド３２２の突台部３２２１の下部にねじ止めすることにより、放熱部材３６を筐体３２に固定する。このとき、第１支持部３３０に支持されたレンズ３１は、カバー体３２０の挿通孔３２３０に下から挿通される。また、操作部材３４２は、カバー体３２０の曲面部３２３において、挿通孔３２３０の右隣に設けられた円形の第１貫通孔３２３２を通して外部に露出する。さらに、表示部３５は、カバー体３２０の曲面部３２３において、第１貫通孔３２３２の後方に設けられた円形の第２貫通孔３２３３を通して外部に露出する。
【００４７】
続いて、作業者は、カバー体３２０とベース３２５を結合する。すなわち、作業者は、カバー体３２０の一対の突片３２４に設けられた取付孔３２４０と、ベース３２５の側板３２５１に設けられたスライド溝３２５５とに回転軸を挿通し、ベース３２５に対して、カバー体３２０を回転可能且つ移動可能に結合する。なお、回転軸は、ボルトとナットあるいはハトメ状の金具などで構成されることが好ましい。
【００４８】
最後に、作業者は、カバー体３２０を開いてベース３２５の内部に電池ケース３７を収納した後、カバー体３２０を閉じ、且つ第２カバーエンド３２２の突台部３２２１の端部を、側板３２５１の引掛溝３２５６に挿入して引っ掛ける（図６参照）。このようにして、非常用光源ユニット３が組み立てられる。ただし、上述した組立手順は一例に過ぎず、別の組立手順で組み立てることも可能である。なお、非常用光源ユニット３は、ベース３２５の底板２３５０が、凹部１１の底板１１１にねじ止めされることで器具本体１に取り付けられることが好ましい。
【００４９】
非常用点灯装置４は、常用電源から供給される電力で蓄電池３８を充電する充電回路、常用電源の停電時に蓄電池３８を電源として非常用ＬＥＤモジュール３０を点灯させる非常用電源回路などを備えることが好ましい。また、非常用点灯装置４は、点検スイッチ３４１による操作入力を受け取って点検動作を行う制御回路を備えることが好ましい。なお、常用電源は、常用光源ユニット２の電源装置２４に給電する電源（例えば、商用の交流電源）であることが好ましい。制御回路は、点検スイッチ３４１による操作入力を受け取ると、充電回路を停止するとともに、非常用電源回路を動作させることで点検動作を行うように構成されることが好ましい。さらに、制御回路は、常用電源の通電状態や点検動作による点検結果などを表示部３５に表示させるように構成されることが好ましい。なお、このような制御回路は、論理回路やマイクロコントローラなどで構成されることが好ましい。また、非常用点灯装置４は、凹部１１の底板１１１にねじ止めされることで器具本体１に取り付けられることが好ましい。
【００５０】
次に、本実施形態の照明器具の施工手順を説明する。まず最初に、施工作業を行う作業者は、天井裏に先行配線された電源線を器具本体１の孔１１１Ａに通し、さらに室内側に露出する吊りボルト２００を孔１１１Ｂに通した後、吊りボルト２００にナット２０１をねじ込んで器具本体１を固定する。さらに、作業者は、電源線の端部を端子台に接続し、さらに端子台から引き出されている電線を電源装置２４及び非常用点灯装置４と電気的に接続する。
【００５１】
続いて、作業者は、器具本体１の一方の側板１１２に設けられた一対の挿通孔にそれぞれ引掛金具の先端を引っ掛けた後、一対の引掛ばねを器具本体１の他方の側板１１２に設けられた引掛部に引っ掛ける。そして、作業者が、引掛金具を支点として常用光源ユニット２を持ち上げるように回転させると、引掛ばねが引掛部に引っ掛かったままで元の状態に戻ることにより、引掛ばねのばね力で常用光源ユニットが器具本体１に保持される。以上のような手順に従って、照明器具が天井に施工される。
【００５２】
天井に施工された照明器具において、常用光源ユニット２と非常用光源ユニット３は、器具本体１の長手方向に沿って隣り合うように配置される（図１参照）。常用光源ユニット２から放射されてレンズ３１の出射面３１１に当たった光は、大部分が出射面３１１に反射され、一部がレンズ３１を通過するが、いずれにしてもレンズ３１が無い場合と比較して、常用照明の照射範囲が狭められ易くなる。これに対して本実施形態の照明器具では、筐体３２の中心に対して常用光源ユニット２から離れる方向にずらして、レンズ３１が筐体３２に収容される。このため、常用光源ユニット２から放射される光が、非常用光源ユニット３のレンズ３１に遮られ難くなる。その結果、本実施形態の照明器具は、常用照明の照射範囲を狭められ難くすることができる。
【００５３】
また、非常用光源ユニット３において、レンズ３１をずらして収容したことで筐体３２に生じたデッドスペースに、スイッチブロック３４の点検スイッチ３４１を押操作するための操作部材３４２と、表示部３５とが収容される。そのため、本実施形態の照明器具は、非常用光源ユニット３の筐体３２の大型化を抑制しつつ操作部材３４２及び表示部３５を筐体３２内に収容することができる。
【００５４】
上述のように本実施形態の照明器具は、常用電源から給電されて点灯する常用光源ユニット２と、常用電源の停電時に非常用電源（蓄電池３８）から給電されて点灯する非常用光源ユニット３とを備える。また、本実施形態の照明器具は、常用光源ユニット２と非常用光源ユニット３を隣り合って並ぶように支持する器具本体１を備える。非常用光源ユニット３は、光源（非常用ＬＥＤモジュール３０）と、光源から放射される光の配光を制御する光学部品（レンズ３１）と、光源及び光学部品を収容する筐体３２とを有する。筐体３２は、光学部品の少なくとも一部を表面から突出させるように構成される。光学部品は、筐体３２の中心に対して常用光源ユニット２から離れる方向にずらして筐体３２に収容される。
【００５５】
本実施形態の照明器具は上述のように構成され、常用光源ユニット２から放射される光が非常用光源ユニット３の光学部品（レンズ３１）に遮られ難くなるので、常用照明の照射範囲を狭められ難くすることができる。
【００５６】
また、本実施形態の照明器具において、非常用光源ユニット３は、自らの動作状態を表示する表示部３５と、点検動作を開始させるために操作される操作部（操作部材３４２）とを有することが好ましい。また、筐体３２は、光学部品（レンズ３１）よりも常用光源ユニット２に近い位置に、表示部３５と操作部（操作部材３４２）を配置するように構成されることが好ましい。
【００５７】
本実施形態の照明器具が上述のように構成されれば、非常用光源ユニット３の筐体３２の大型化を抑制しつつ表示部３５と操作部（操作部材３４２）を筐体３２内に収容することができる。
【符号の説明】
【００５８】
１  器具本体
２  常用光源ユニット
３  非常用光源ユニット
３０  非常用ＬＥＤモジュール（光源）
３１  レンズ（光学部品）
３２  筐体
３５  表示部
３８  蓄電池（非常用電源）
３４２  操作部材（操作部）
【図１】
0006365982.tif 000002
【図２】
0006365982.tif 000003
【図３】
0006365982.tif 000004
【図４】
0006365982.tif 000005
【図５】
0006365982.tif 000006
【図６】
0006365982.tif 000007
【図７】
0006365982.tif 000008